【手続補正書】
【提出日】平成19年11月28日(2007.11.28)
【手続補正１】
【補正対象書類名】明細書
【補正対象項目名】特許請求の範囲
【補正方法】変更
【補正の内容】
【特許請求の範囲】
【請求項１】  複数の遊技機が設置可能であり、
前記遊技機の遊技のために使用される遊技媒体を貯留する貯留領域及び該貯留領域における前記遊技媒体の貯留量を検出する貯留量検出手段を備える複数の遊技機設置島と、
該複数の遊技機設置島の稼働状況を管理する管理手段と、
前記複数の遊技機設置島における貯留領域の相互間において前記遊技媒体の送受を行うための遊技媒体送受装置と、
から構成される遊技機設置島システムにおいて、
前記複数の遊技機設置島は、遊技者が獲得した遊技媒体数を計数し、該計数した計数媒体を遊技媒体排出路を介して前記貯留領域に排出する獲得遊技媒体数計数装置が設けられた計数装置遊技機設置島を含み、
前記管理手段は、
前記貯留量検出手段による検出結果に基づいて、前記遊技媒体送受装置を介して前記遊技媒体の送受を行うことにより前記複数の遊技機設置島それぞれの前記貯留領域の遊技媒体の貯留量を調整する調整制御を行う貯留量調整制御手段と、
前記貯留量調整制御手段が行う前記調整制御の制御内容を定めた調整制御パターンであって、隣り合う遊技機設置島間における遊技媒体の貯留量の差が予め定められた判定値に達したとき、該隣り合う遊技機設置島間のうち貯留量が多い遊技機設置島から貯留量が少ない遊技機設置島に前記遊技媒体送受装置を介して前記遊技媒体の移送を行って貯留量を調整する貯留量差調整制御パターンと、前記計数装置遊技機設置島における貯留量が所定の基準貯留量に近づくように前記遊技媒体送受装置を介して隣り合う遊技機設置島間で前記遊技媒体の送受を行って貯留量の調整を行う基準貯留量調整制御パターンと、を少なくとも含む複数の調整制御パターンを記憶する調整制御パターン記憶手段と、
前記調整制御パターン記憶手段に記憶されている前記複数の調整制御パターンのうちから選択した調整制御パターンを、前記貯留量調整制御手段が行う調整制御内容として各遊技機設置島に設定変更する調整制御パターン設定手段と、
を備え、
前記貯留量調整制御手段は、前記調整制御パターン設定手段にて設定された調整制御パターンに基づいて前記調整制御を行うことを特徴とする遊技機設置島システム。
【請求項２】  前記遊技媒体送受装置を介して遊技媒体の送受が可能に連結された前記複数の遊技機設置島を複数のグループ島群に区分するグループ島群区分手段を備え、
前記調整制御パターン設定手段は、前記調整制御パターンを前記グループ島群区分手段にて区分された複数のグループ島群ごとに個別に設定変更する請求項１に記載の遊技機設置島システム。
【請求項３】  前記貯留量検出手段による検出結果に基づいて、前記遊技媒体の貯留量が所定の下限貯留量となった貯留領域を特定する特定手段を備え、
前記貯留量調整制御手段は、前記特定手段により前記遊技媒体の貯留量が前記所定の下限貯留量となった貯留領域が特定されたことに基づいて、現在実行中の前記調整制御を中断し、前記特定手段により特定された貯留領域に対して他の貯留領域よりも優先して前記遊技媒体を移送する優先制御を行う請求項１または２に記載の遊技機設置島システム。
【請求項４】  前記貯留量調整制御手段にて実行中の調整制御パターンの種別並びに前記複数の遊技機設置島それぞれの貯留量を報知する調整制御パターン報知手段を備える請求項１〜３のいずれかに記載の遊技機設置島システム。
【手続補正２】
【補正対象書類名】明細書
【補正対象項目名】００１０
【補正方法】変更
【補正の内容】
【００１０】
【課題を解決するための手段】
上記問題を解決するために、本発明の遊技機設置島システムは、
複数の遊技機が設置可能であり、
前記遊技機の遊技のために使用される遊技媒体を貯留する貯留領域及び該貯留領域における前記遊技媒体の貯留量を検出する貯留量検出手段を備える複数の遊技機設置島と、
該複数の遊技機設置島の稼働状況を管理する管理手段と、
前記複数の遊技機設置島における貯留領域の相互間において前記遊技媒体の送受を行うための遊技媒体送受装置と、
から構成される遊技機設置島システムにおいて、
前記複数の遊技機設置島は、遊技者が獲得した遊技媒体数を計数し、該計数した計数媒体を遊技媒体排出路を介して前記貯留領域に排出する獲得遊技媒体数計数装置が設けられた計数装置遊技機設置島を含み、
前記管理手段は、
前記貯留量検出手段による検出結果に基づいて、前記遊技媒体送受装置を介して前記遊技媒体の送受を行うことにより前記複数の遊技機設置島それぞれの前記貯留領域の遊技媒体の貯留量を調整する調整制御を行う貯留量調整制御手段と、
前記貯留量調整制御手段が行う前記調整制御の制御内容を定めた調整制御パターンであって、隣り合う遊技機設置島間における遊技媒体の貯留量の差が予め定められた判定値に達したとき、該隣り合う遊技機設置島間のうち貯留量が多い遊技機設置島から貯留量が少ない遊技機設置島に前記遊技媒体送受装置を介して前記遊技媒体の移送を行って貯留量を調整する貯留量差調整制御パターンと、前記計数装置遊技機設置島における貯留量が所定の基準貯留量に近づくように前記遊技媒体送受装置を介して隣り合う遊技機設置島間で前記遊技媒体の送受を行って貯留量の調整を行う基準貯留量調整制御パターンと、を少なくとも含む複数の調整制御パターンを記憶する調整制御パターン記憶手段と、
前記調整制御パターン記憶手段に記憶されている前記複数の調整制御パターンのうちから選択した調整制御パターンを、前記貯留量調整制御手段が行う調整制御内容として各遊技機設置島に設定変更する調整制御パターン設定手段と、
を備え、
前記貯留量調整制御手段は、前記調整制御パターン設定手段にて設定された調整制御パターンに基づいて前記調整制御を行うことを特徴としている。
この特徴によれば、貯留量調整制御手段が行う調整制御の制御内容を、複数の調整制御パターンのうちから選択して各遊技機設置島に設定変更することが出来るため、遊技機設置島の貯留状況が変移することがあっても、そのときの貯留状況に適した調整制御パターンに基づいて貯留量の調整制御を行うことが出来る。
【手続補正３】
【補正対象書類名】明細書
【補正対象項目名】０１５１
【補正方法】変更
【補正の内容】
【０１５１】
本発明の請求項１は、複数の遊技機（パチンコ機２）が設置可能であり、
前記遊技機の遊技のために使用される遊技媒体（パチンコ球）を貯留する貯留領域（下部タンク９Ｌ、９Ｒ）及び該貯留領域における前記遊技媒体の貯留量を検出する貯留量検出手段（貯留量検出センサ４１０ａ〜４１０ｆ、４１１ａ〜４１１ｆ）を備える複数の遊技機設置島（１、１’）と、
該複数の遊技機設置島の稼働状況を管理する管理手段（管理コンピュータ４３０）と、
前記複数の遊技機設置島における貯留領域の相互間において前記遊技媒体の送受を行うための遊技媒体送受装置（球送受樋４００、４０１、球受用シャッタ４０２）と、
から構成される遊技機設置島システムにおいて、
前記複数の遊技機設置島は、遊技者が獲得した遊技媒体数を計数し、該計数した計数媒体を遊技媒体排出路（排出路１６）を介して前記貯留領域に排出する獲得遊技媒体数計数装置（計数装置１５）が設けられた計数装置遊技機設置島（島Ｎｏ．０２，０６）を含み、
前記管理手段は、
前記貯留量検出手段による検出結果に基づいて、前記遊技媒体送受装置を介して前記遊技媒体の送受を行うことにより前記複数の遊技機設置島それぞれの前記貯留領域の遊技媒体の貯留量を調整する調整制御を行う貯留量調整制御手段（島コントローラ４２１、管理コンピュータ４３０（制御部４３１））と、
前記貯留量調整制御手段が行う前記調整制御の制御内容を定めた調整制御パターンであって、隣り合う遊技機設置島間における遊技媒体の貯留量の差が予め定められた判定値（貯留量レベル差ＬＶ２）に達したとき、該隣り合う遊技機設置島間のうち貯留量が多い遊技機設置島から貯留量が少ない遊技機設置島に前記遊技媒体送受装置を介して前記遊技媒体の移送を行って貯留量を調整する貯留量差調整制御パターン（パターンＡ）と、前記計数装置遊技機設置島における貯留量が所定の基準貯留量（基準貯留量レベルＬＶ２）に近づくように前記遊技媒体送受装置を介して隣り合う遊技機設置島間で前記遊技媒体の送受を行って貯留量の調整を行う基準貯留量調整制御パターン（パターンＢ）と、を少なくとも含む複数の調整制御パターン（パターンＡ、Ｂ、ＡＢ）を記憶する調整制御パターン記憶手段（記憶部４３３）と、
前記調整制御パターン記憶手段に記憶されている前記複数の調整制御パターンのうちから選択した調整制御パターンを、前記貯留量調整制御手段が行う調整制御内容として各遊技機設置島に設定変更する調整制御パターン設定手段（管理コンピュータ４３０（制御部４３１）、コントロールボックス５０１〜５０５、設定ボタン５０６）と、
を備え、
前記貯留量調整制御手段は、前記調整制御パターン設定手段にて設定された調整制御パターンに基づいて前記調整制御を行う。